(57)【要約】【課題】  ホストコントローラ１Ｂと接続されていないＤＡＰに対しても、充電コマンドを送信し、充電させること。【解決手段】  ＤＡＰ２からのオーディオデータを増幅装置４に送信する場合、マイコン１Ａがスイッチ１Ｅにコネクタ１Ｌａとホストコントローラ１Ｂとを接続させることにより、ホストコントローラ１ＢがＵＳＢ経由でＤＡＰ２に充電コマンドを送信し、ＤＡＰ２を充電させる。このとき、ＤＡＰ３はホストコントローラ１Ｂに接続されないが、マイコン１ＡがＵＡＲＴ経由でＤＡＰ３に充電コマンドを送信することによって、ＤＡＰ３を充電させる。【選択図】図２
2012043484.tif 000002
【特許請求の範囲】
【請求項１】
コントローラと通信しているとき充電動作を実行し、コントローラと通信していないとき充電動作を実行しない第１コンテンツ再生装置および第２コンテンツ再生装置に充電用の電源電圧を供給するクレードルであって、
前記第１コンテンツ再生装置が接続可能な第１接続部と、
前記第２コンテンツ再生装置が接続可能な第２接続部と、
前記第１コンテンツ再生装置または前記第２コンテンツ再生装置と通信するホストコントローラと、
前記第１接続部と前記ホストコントローラとを接続するか、又は、前記第２接続部と前記ホストコントローラとを接続するかを切り換える第１スイッチと、
前記第１スイッチを切り換え制御し、かつ、前記第１コンテンツ再生装置または前記第２コンテンツ再生装置と通信するシステムコントローラとを備え、
前記第１接続部に接続される前記第１コンテンツ再生装置からコンテンツを受信する場合、前記システムコントローラが前記第１スイッチに前記第１接続部と前記ホストコントローラとを接続させることにより、前記ホストコントローラに前記第１コンテンツ再生装置と通信させ、前記第１コンテンツ再生装置を充電させ、かつ、前記システムコントローラが前記第２接続部に接続されている前記第２コンテンツ再生装置と通信し、前記第２コンテンツ再生装置を充電させ、
前記第２接続部に接続される前記第２コンテンツ再生装置からコンテンツを受信する場合、前記システムコントローラが前記第１スイッチに前記第２接続部と前記ホストコントローラとを接続させることにより、前記ホストコントローラに前記第２コンテンツ再生装置と通信させ、前記第２コンテンツ再生装置を充電させ、かつ、前記システムコントローラが前記第１接続部に接続されている前記第１コンテンツ再生装置と通信し、前記第１コンテンツ再生装置を充電させる、クレードル。
【請求項２】
前記第１接続部と前記システムコントローラとを接続するか、又は、前記第２接続部と前記システムコントローラとを接続するかを切り換える第２スイッチをさらに備え、
前記第１接続部に接続される前記第１コンテンツ再生装置からコンテンツを受信する場合、前記システムコントローラが前記第１スイッチに前記第１接続部と前記ホストコントローラとを接続させることにより、前記ホストコントローラに前記第１コンテンツ再生装置と通信させ、前記第１コンテンツ再生装置を充電させ、かつ、前記システムコントローラが前記第２スイッチに前記第２接続部と前記システムコントローラとを接続させることにより、前記システムコントローラが前記第２接続部に接続されている前記第２コンテンツ再生装置と通信し、前記第２コンテンツ再生装置を充電させ、
前記第２接続部に接続される前記第２コンテンツ再生装置からコンテンツを受信する場合、前記システムコントローラが前記第１スイッチに前記第２接続部と前記ホストコントローラとを接続させることにより、前記ホストコントローラに前記第２コンテンツ再生装置と通信させ、前記第２コンテンツ再生装置を充電させ、かつ、前記システムコントローラが前記第２スイッチに前記第１接続部と前記システムコントローラとを接続させることにより、前記システムコントローラが前記第１接続部に接続されている前記第１コンテンツ再生装置と通信し、前記第１コンテンツ再生装置を充電させる、請求項１に記載のクレードル。
【請求項３】
コントローラと通信しているとき充電動作を実行し、コントローラと通信していないとき充電動作を実行しない第１コンテンツ再生装置および第２コンテンツ再生装置に充電用の電源電圧を供給するクレードルであって、
前記第１コンテンツ再生装置が接続可能な第１接続部と、
前記第２コンテンツ再生装置が接続可能な第２接続部と、
前記第１コンテンツ再生装置または前記第２コンテンツ再生装置と通信するホストコントローラを有するコンピュータが接続可能な第３接続部と、
前記第１接続部と前記第３接続部とを接続するか、又は、前記第２接続部と前記第３接続部とを接続するかを切り換える第１スイッチと、
前記第１スイッチを切り換え制御し、かつ、前記第１コンテンツ再生装置または前記第２コンテンツ再生装置と通信するシステムコントローラとを備え、
前記第１接続部に接続される前記第１コンテンツ再生装置と前記コンピュータとの間で通信する必要がある場合、前記システムコントローラが前記第１スイッチに前記第１接続部と前記第３接続部とを接続させることにより、前記ホストコントローラに前記第１コンテンツ再生装置と通信させ、前記第１コンテンツ再生装置を充電させ、かつ、前記システムコントローラが前記第２接続部に接続されている前記第２コンテンツ再生装置と通信し、前記第２コンテンツ再生装置を充電させ、
前記第２接続部に接続される前記第２コンテンツ再生装置と前記コンピュータとの間で通信する必要がある場合、前記システムコントローラが前記第１スイッチに前記第２接続部と前記第３接続部とを接続させることにより、前記ホストコントローラに前記第２コンテンツ再生装置と通信させ、前記第２コンテンツ再生装置を充電させ、かつ、前記システムコントローラが前記第１接続部に接続されている前記第１コンテンツ再生装置と通信し、前記第１コンテンツ再生装置を充電させる、クレードル。
【請求項４】
前記第１接続部と前記システムコントローラとを接続するか、又は、前記第２接続部と前記システムコントローラとを接続するかを切り換える第２スイッチをさらに備え、
前記第１接続部に接続される前記第１コンテンツ再生装置と前記コンピュータとの間で通信する必要がある場合、前記システムコントローラが前記第１スイッチに前記第１接続部と前記第３接続部とを接続させることにより、前記ホストコントローラに前記第１コンテンツ再生装置と通信させ、前記第１コンテンツ再生装置を充電させ、かつ、前記システムコントローラが前記第２スイッチに前記第２接続部と前記システムコントローラとを接続させることにより、前記システムコントローラが前記第２接続部に接続されている前記第２コンテンツ再生装置と通信し、前記第２コンテンツ再生装置を充電させ、
前記第２接続部に接続される前記第２コンテンツ再生装置と前記コンピュータとの間で通信する必要がある場合、前記システムコントローラが前記第１スイッチに前記第２接続部と前記第３接続部とを接続させることにより、前記ホストコントローラに前記第２コンテンツ再生装置と通信させ、前記第２コンテンツ再生装置を充電させ、かつ、前記システムコントローラが前記第２スイッチに前記第１接続部と前記システムコントローラとを接続させることにより、前記システムコントローラが前記第１接続部に接続されている前記第１コンテンツ再生装置と通信し、前記第１コンテンツ再生装置を充電させる、請求項３に記載のクレードル。
【請求項５】
コントローラと通信しているとき充電動作を実行し、コントローラと通信していないとき充電動作を実行しないコンテンツ再生装置に充電用の電源電圧を供給するクレードルであって、
前記コンテンツ再生装置が接続可能な第１接続部と、
前記コンテンツ再生装置と通信するホストコントローラを備えるコンピュータが接続可能な第２接続部と、
前記クレードルを制御するシステムコントローラと、
電源オン状態である前記コンピュータが前記第２接続部に接続されているか否かを判断する判断部と、
電源オン状態である前記コンピュータが前記第２接続部に接続されていると判断された場合、前記ホストコントローラに前記コンテンツ再生装置と通信させ、前記コンテンツ再生装置を充電させ、
電源オン状態である前記コンピュータが前記第２接続部に接続されていないと判断された場合、前記システムコントローラが、前記コンテンツ再生装置と通信し、前記コンテンツ再生装置を充電させる、クレードル。
【請求項６】
前記ホストコントローラが、第１規格通信ラインを介して前記第１コンテンツ再生装置または前記第２コンテンツ再生装置と通信し、
前記システムコントローラが、前記第１規格とは異なる第２規格信ラインを介して前記第１コンテンツ再生装置または前記第２コンテンツ再生装置と通信する、請求項１〜５のいずれかに記載のクレードル。
【請求項７】
コントローラと通信しているとき充電動作を実行し、コントローラと通信していないとき充電動作を実行しない第１コンテンツ再生装置および第２コンテンツ再生装置に充電用の電源電圧をクレードルから供給する給電方法であって、
スイッチによって前記第１コンテンツ再生装置をホストコントローラに接続させ、前記ホストコントローラが前記第１コンテンツ再生装置と通信し、前記第１コンテンツ再生装置を充電させ、かつ、前記システムコントローラが前記第２コンテンツ再生装置と通信し、前記第２コンテンツ再生装置を充電させるステップと、
スイッチによって前記第２コンテンツ再生装置を前記ホストコントローラに接続させ、前記ホストコントローラが前記第２コンテンツ再生装置と通信し、前記第２コンテンツ再生装置を充電させ、かつ、前記システムコントローラが前記第１コンテンツ再生装置と通信し、前記第１コンテンツ再生装置を充電させるステップとを含む、給電方法。
【発明の詳細な説明】
【技術分野】
【０００１】
本発明は、コンテンツ再生装置用クレードルに関する。
【背景技術】
【０００２】
ＤＡＰ(Digital Audio Player)は、ＰＣやクレードルにＵＳＢ経由で接続され、ＰＣやクレードルから充電用電圧が供給されることにより、バッテリを充電する。ＤＡＰには、ＵＳＢのデータラインＤ＋、Ｄ−を介してホストコントローラから充電コマンドが所定時間間隔で供給されているときに（つまり、ホストコントローラと通信しているときに）充電用電圧によりバッテリを充電し、ホストコントローラから充電コマンドが所定時間間隔で供給されていないときに（つまり、ホストコントローラと通信していないときに）バッテリを充電しないものがある。
【０００３】
（従来例１）
図１６は、内部にホストコントローラ１Ｂを備え、複数（２つの）ＤＡＰをＵＳＢ経由で接続可能なクレードル１０１を示す。ＤＡＰ２のオーディオデータを、クレードル１０１を介して増幅装置５に出力する場合、スイッチ１Ｇは、ホストコントローラ１ＢとＤＡＰ２が接続されたコネクタ１Ｌとを接続する。これにより、ＤＡＰ２のオーディオデータは、コネクタ１Ｌ、スイッチ１Ｇ、ホストコントローラ１Ｂ、出力端子１Ｏを介して増幅装置５に供給される。このとき、ホストコントローラ１Ｂは、ＤＡＰ２に充電コマンドを送信することによって、ＤＡＰ２を充電させることができる。しかし、ホストコントローラ１Ｂは、ＤＡＰ３にはＵＳＢ経由で接続されないので、ＤＡＰ３に充電コマンドを送信することができず、ＤＡＰ３を充電させることができない。
【０００４】
同様に、ＤＡＰ３のオーディオデータを、クレードル１０１を介して増幅装置５に出力する場合、スイッチ１Ｇは、ホストコントローラ１ＢとＤＡＰ３が接続されたコネクタ１Ｍとを接続する。これにより、ＤＡＰ３のオーディオデータは、コネクタ１Ｍ、スイッチ１Ｇ、ホストコントローラ１Ｂ、出力端子１Ｏを介して増幅装置５に供給される。このとき、ホストコントローラ１Ｂは、ＤＡＰ３に充電コマンドを送信することによって、ＤＡＰ３を充電させることができる。しかし、ホストコントローラ１Ｂは、ＤＡＰ２にはＵＳＢ経由で接続されないので、ＤＡＰ２に充電コマンドを送信することができず、ＤＡＰ２を充電させることができない。
【０００５】
以上のように、クレードル１０１によると、ホストコントローラを１つしか備えないので、２つのＤＡＰを同時に充電させることができず、オーディオデータを増幅装置５に出力する方のＤＡＰにしか充電させることができないという問題がある。ホストコントローラ１Ｂを複数設けることによってこの問題を解決できるが、ＤＡＰを充電させるためだけにホストコントローラを複数設けることは、コスト面で不利であり現実的ではない。
【０００６】
（従来例２）
図１７は、内部にホストコントローラを備えず、複数（２つの）ＤＡＰをＵＳＢ経由で接続可能なクレードル２０１を示す。クレードル２０１には、ホストコントローラ４Ａを備えるＰＣ４をＵＳＢ経由で接続可能である。ＰＣ４のオーディオファイルをクレードル２０１を介してＤＡＰ２に転送し記録させる場合、スイッチ１Ｇは、ＤＡＰ２が接続されたコネクタ１Ｌと、ＰＣ４が接続されたコネクタ１Ｎとを接続する。これにより、ＰＣ４のオーディオファイルは、コネクタ１Ｎ、スイッチ１Ｇ、コネクタ１Ｌを介してＤＡＰ２に供給される。このとき、ホストコントローラ４Ａは、ＤＡＰ２に充電コマンドを送信することによって、ＤＡＰ２を充電させることができる。しかし、ホストコントローラ４Ａは、ＤＡＰ３にはＵＳＢ経由で接続されないので、ＤＡＰ３に充電コマンドを送信することができず、ＤＡＰ３を充電させることができない。
【０００７】
同様に、ＰＣ４のオーディオファイルをクレードル２０１を介してＤＡＰ３に転送し記録させる場合、スイッチ１Ｇは、ＤＡＰ３が接続されたコネクタ１Ｍと、ＰＣ４が接続されたコネクタ１Ｎとを接続する。これにより、ＰＣ４のオーディオファイルは、コネクタ１Ｎ、スイッチ１Ｇ、コネクタ１Ｍを介してＤＡＰ３に供給される。このとき、ホストコントローラ４Ａは、ＤＡＰ３に充電コマンドを送信することによって、ＤＡＰ３を充電させることができる。しかし、ホストコントローラ４Ａは、ＤＡＰ２にはＵＳＢ経由で接続されないので、ＤＡＰ２に充電コマンドを送信することができず、ＤＡＰ２を充電させることができない。
【０００８】
以上のように、クレードル２０１によると、ＰＣ４のみホストコントローラを備え、クレードル２０１はホストコントローラを備えないので、２つのＤＡＰを同時に充電させることができず、オーディオファイルをＰＣ４から受信して記録する方のＤＡＰしか充電させることができないという問題がある。
【０００９】
（従来例３）
図１８に示すクレードル３０１によると、１つのＤＡＰ２しか接続することができず、クレードル内にはホストコントローラが設けられていない。代わりに、クレードルには、ホストコントローラ４Ａを備えるＰＣ４をＵＳＢ経由で接続可能である。充電用電圧はクレードルからＤＡＰ２にＵＳＢ経由で供給され、ＰＣ４のホストコントローラ４ＡがＤＡＰ２に充電コマンドを送信することによって、ＤＡＰ２を充電させることができる。
【００１０】
しかし、このクレードルの場合、ＰＣ４が接続されていない、又は、ＰＣ４の電源がオフ状態にされると、充電用電圧はクレードルからＤＡＰ２に供給されるものの、ＰＣ４のホストコントローラ４ＡからＤＡＰ２に充電コマンドが供給されないので、ＤＡＰ２はバッテリを充電できない。
【先行技術文献】
【特許文献】
【００１１】
【特許文献１】特開２００６−２４４６０７号公報
【特許文献２】特開２００７−６８３３３号公報
【特許文献３】特開２００６−２４６２１７号公報
【発明の概要】
【発明が解決しようとする課題】
【００１２】
本発明は上記従来の課題を解決するためになされたものであり、その目的は、ホストコントローラと接続されていないコンテンツ再生装置に対しても通信し、充電させることができるコンテンツ再生装置のクレードルを提供することである。
【課題を解決するための手段】
【００１３】
本発明の好ましい実施形態によるクレードルは、コントローラと通信しているとき充電動作を実行し、コントローラと通信していないとき充電動作を実行しない第１コンテンツ再生装置および第２コンテンツ再生装置に充電用の電源電圧を供給するクレードルであって、前記第１コンテンツ再生装置が接続可能な第１接続部と、前記第２コンテンツ再生装置が接続可能な第２接続部と、前記第１コンテンツ再生装置または前記第２コンテンツ再生装置と通信するホストコントローラと、前記第１接続部と前記ホストコントローラとを接続するか、又は、前記第２接続部と前記ホストコントローラとを接続するかを切り換える第１スイッチと、前記第１スイッチを切り換え制御し、かつ、前記第１コンテンツ再生装置または前記第２コンテンツ再生装置と通信するシステムコントローラとを備え、前記第１接続部に接続される前記第１コンテンツ再生装置からコンテンツを受信する場合、前記システムコントローラが前記第１スイッチに前記第１接続部と前記ホストコントローラとを接続させることにより、前記ホストコントローラに前記第１コンテンツ再生装置と通信させ、前記第１コンテンツ再生装置を充電させ、かつ、前記システムコントローラが前記第２接続部に接続されている前記第２コンテンツ再生装置と通信し、前記第２コンテンツ再生装置を充電させ、前記第２接続部に接続される前記第２コンテンツ再生装置からコンテンツを受信する場合、前記システムコントローラが前記第１スイッチに前記第２接続部と前記ホストコントローラとを接続させることにより、前記ホストコントローラに前記第２コンテンツ再生装置と通信させ、前記第２コンテンツ再生装置を充電させ、かつ、前記システムコントローラが前記第１接続部に接続されている前記第１コンテンツ再生装置と通信し、前記第１コンテンツ再生装置を充電させる。
【００１４】
クレードルにコンテンツを送信しない方のコンテンツ再生装置は、クレードルのホストコントローラと通信することができないが、代わりに、クレードルのシステムコントローラと通信することによって、充電することができる。従って、ホストコントローラと接続されていないコンテンツ再生装置に対しても通信し、充電させることができるコンテンツ再生装置のクレードルを提供することができる。
【００１５】
好ましい実施形態においては、前記第１接続部と前記システムコントローラとを接続するか、又は、前記第２接続部と前記システムコントローラとを接続するかを切り換える第２スイッチをさらに備え、前記第１接続部に接続される前記第１コンテンツ再生装置からコンテンツを受信する場合、前記システムコントローラが前記第１スイッチに前記第１接続部と前記ホストコントローラとを接続させることにより、前記ホストコントローラに前記第１コンテンツ再生装置と通信させ、前記第１コンテンツ再生装置を充電させ、かつ、前記システムコントローラが前記第２スイッチに前記第２接続部と前記システムコントローラとを接続させることにより、前記システムコントローラが前記第２接続部に接続されている前記第２コンテンツ再生装置と通信し、前記第２コンテンツ再生装置を充電させ、前記第２接続部に接続される前記第２コンテンツ再生装置からコンテンツを受信する場合、前記システムコントローラが前記第１スイッチに前記第２接続部と前記ホストコントローラとを接続させることにより、前記ホストコントローラに前記第２コンテンツ再生装置と通信させ、前記第２コンテンツ再生装置を充電させ、かつ、前記システムコントローラが前記第２スイッチに前記第１接続部と前記システムコントローラとを接続させることにより、前記システムコントローラが前記第１接続部に接続されている前記第１コンテンツ再生装置と通信し、前記第１コンテンツ再生装置を充電させる。
【００１６】
本発明の別の好ましい実施形態によるクレードルは、コントローラと通信しているとき充電動作を実行し、コントローラと通信していないとき充電動作を実行しない第１コンテンツ再生装置および第２コンテンツ再生装置に充電用の電源電圧を供給するクレードルであって、前記第１コンテンツ再生装置が接続可能な第１接続部と、前記第２コンテンツ再生装置が接続可能な第２接続部と、前記第１コンテンツ再生装置または前記第２コンテンツ再生装置と通信するホストコントローラを有するコンピュータが接続可能な第３接続部と、前記第１接続部と前記第３接続部とを接続するか、又は、前記第２接続部と前記第３接続部とを接続するかを切り換える第１スイッチと、前記第１スイッチを切り換え制御し、かつ、前記第１コンテンツ再生装置または前記第２コンテンツ再生装置と通信するシステムコントローラとを備え、前記第１接続部に接続される前記第１コンテンツ再生装置と前記コンピュータとの間で通信する必要がある場合、前記システムコントローラが前記第１スイッチに前記第１接続部と前記第３接続部とを接続させることにより、前記ホストコントローラに前記第１コンテンツ再生装置と通信させ、前記第１コンテンツ再生装置を充電させ、かつ、前記システムコントローラが前記第２接続部に接続されている前記第２コンテンツ再生装置と通信し、前記第２コンテンツ再生装置を充電させ、前記第２接続部に接続される前記第２コンテンツ再生装置と前記コンピュータとの間で通信する必要がある場合、前記システムコントローラが前記第１スイッチに前記第２接続部と前記第３接続部とを接続させることにより、前記ホストコントローラに前記第２コンテンツ再生装置と通信させ、前記第２コンテンツ再生装置を充電させ、かつ、前記システムコントローラが前記第１接続部に接続されている前記第１コンテンツ再生装置と通信し、前記第１コンテンツ再生装置を充電させる。
【００１７】
コンピュータと通信しない方のコンテンツ再生装置は、コンピュータのホストコントローラと通信することができないが、代わりに、クレードルのシステムコントローラと通信することによって、充電することができる。従って、ホストコントローラと接続されていないコンテンツ再生装置に対しても通信し、充電させることができるコンテンツ再生装置のクレードルを提供することができる。
【００１８】
好ましい実施形態においては、  前記第１接続部と前記システムコントローラとを接続するか、又は、前記第２接続部と前記システムコントローラとを接続するかを切り換える第２スイッチをさらに備え、前記第１接続部に接続される前記第１コンテンツ再生装置と前記コンピュータとの間で通信する必要がある場合、前記システムコントローラが前記第１スイッチに前記第１接続部と前記第３接続部とを接続させることにより、前記ホストコントローラに前記第１コンテンツ再生装置と通信させ、前記第１コンテンツ再生装置を充電させ、かつ、前記システムコントローラが前記第２スイッチに前記第２接続部と前記システムコントローラとを接続させることにより、前記システムコントローラが前記第２接続部に接続されている前記第２コンテンツ再生装置と通信し、前記第２コンテンツ再生装置を充電させ、前記第２接続部に接続される前記第２コンテンツ再生装置と前記コンピュータとの間で通信する必要がある場合、前記システムコントローラが前記第１スイッチに前記第２接続部と前記第３接続部とを接続させることにより、前記ホストコントローラに前記第２コンテンツ再生装置と通信させ、前記第２コンテンツ再生装置を充電させ、かつ、前記システムコントローラが前記第２スイッチに前記第１接続部と前記システムコントローラとを接続させることにより、前記システムコントローラが前記第１接続部に接続されている前記第１コンテンツ再生装置と通信し、前記第１コンテンツ再生装置を充電させる。
【００１９】
本発明の別の好ましい実施形態によるクレードルは、コントローラと通信しているとき充電動作を実行し、コントローラと通信していないとき充電動作を実行しないコンテンツ再生装置に充電用の電源電圧を供給するクレードルであって、前記コンテンツ再生装置が接続可能な第１接続部と、前記コンテンツ再生装置と通信するホストコントローラを備えるコンピュータが接続可能な第２接続部と、前記クレードルを制御するシステムコントローラと、電源オン状態である前記コンピュータが前記第２接続部に接続されているか否かを判断する判断部と、電源オン状態である前記コンピュータが前記第２接続部に接続されていると判断された場合、前記ホストコントローラに前記コンテンツ再生装置と通信させ、前記コンテンツ再生装置を充電させ、電源オン状態である前記コンピュータが前記第２接続部に接続されていないと判断された場合、前記システムコントローラが、前記コンテンツ再生装置と通信し、前記コンテンツ再生装置を充電させる。
【００２０】
コンピュータが接続されていない、又は、コンピュータの電源がオフ状態である場合に、コンピュータのホストコントローラと通信することができないが、代わりに、クレードルのシステムコントローラがコンテンツ再生装置と通信するので、コンテンツ再生装置を充電することができる。従って、ホストコントローラと接続されていないコンテンツ再生装置に対しても通信し、充電させることができるコンテンツ再生装置のクレードルを提供することができる。
【００２１】
好ましい実施形態においては、前記ホストコントローラが、第１規格通信ラインを介して前記第１コンテンツ再生装置または前記第２コンテンツ再生装置と通信し、前記システムコントローラが、前記第１規格とは異なる第２規格信ラインを介して前記第１コンテンツ再生装置または前記第２コンテンツ再生装置と通信する。
【００２２】
本発明の好ましい実施形態による給電方法は、コントローラと通信しているとき充電動作を実行し、コントローラと通信していないとき充電動作を実行しない第１コンテンツ再生装置および第２コンテンツ再生装置に充電用の電源電圧をクレードルから供給する給電方法であって、スイッチによって前記第１コンテンツ再生装置をホストコントローラに接続させ、前記ホストコントローラが前記第１コンテンツ再生装置と通信し、前記第１コンテンツ再生装置を充電させ、かつ、前記システムコントローラが前記第２コンテンツ再生装置と通信し、前記第２コンテンツ再生装置を充電させるステップと、スイッチによって前記第２コンテンツ再生装置を前記ホストコントローラに接続させ、前記ホストコントローラが前記第２コンテンツ再生装置と通信し、前記第２コンテンツ再生装置を充電させ、かつ、前記システムコントローラが前記第１コンテンツ再生装置と通信し、前記第１コンテンツ再生装置を充電させるステップとを含む。
【発明の効果】
【００２３】
ホストコントローラと接続されていないコンテンツ再生装置に対しても通信し、充電させることができるコンテンツ再生装置のクレードルを提供することができる。
【図面の簡単な説明】
【００２４】
【図１】本発明のクレードル１等を示すブロック図である。
【図２】クレードル１等のハードウェアを示すブロック図である。
【図２Ｂ】クレードル１１等のハードウェアを示すブロック図である。
【図３】クレードル１の外観図である。
【図４】増幅装置５のハードウェアを示すブロック図である。
【図５】表示部５Ｄの表示内容を示す図である。
【図６】マイコン１Ａの処理を示すフローチャートである。
【図７】マイコン１Ａの処理を示すフローチャートである。
【図８】マイコン１Ａの処理を示すフローチャートである。
【図９】マイコン１Ａの処理を示すフローチャートである。
【図１０】マイコン５Ａの処理を示すフローチャートである。
【図１１】マイコン５Ａの処理を示すフローチャートである。
【図１２】クレードル２１等のハードウェアを示すブロック図である。
【図１３】マイコン１Ａの処理を示すフローチャートである。
【図１４】クレードル３１等のハードウェアを示すブロック図である。
【図１５】マイコン１Ａの処理を示すフローチャートである。
【図１６】従来のクレードル１０１等のハードウェアを示すブロック図である。
【図１７】従来のクレードル２０１等のハードウェアを示すブロック図である。
【図１８】従来のクレードル３０１等のハードウェアを示すブロック図である。
【発明を実施するための形態】
【００２５】
［実施例１］
以下、本発明の好ましい実施形態について、図面を参照して具体的に説明するが、本発明はこれらの実施形態には限定されない。図１は、本実施形態によるクレードル１、携帯型コンテンツ再生装置（以下、ＤＡＰ(Digital Audio Player)という。）２，３、増幅装置５、およびリモコン送信機６，７を示す図である。クレードル１には、ＵＳＢ（Universal Serial Bus）等の第１規格通信ライン、および、ＵＡＲＴ（Universal Asynchronous Receiver-Transmitter）等の第２規格通信ラインを介してＤＡＰ２，３が接続可能である。なお、ＵＳＢの代わりにＩＥＥＥ１３９４やＨＤＭＩ（High-Definition Multimedia Interface）等が採用されてもよく、ＵＡＲＴの代わりにＩ２Ｃ（Inter-Integrated Circuit）等が採用されてもよい。クレードル１は、デジタル（又はアナログでもよい）オーディオケーブル及び制御信号ケーブルを介して増幅装置５に接続可能である。また、３つ以上のＤＡＰがクレードル１に接続可能でもよい。
【００２６】
クレードル１は、ＤＡＰ２、３に直流電源電圧を供給することにより、ＤＡＰ２、３にバッテリを充電させる。ＤＡＰ２、３は、ホストコントローラ等のコントローラと通信しているときに（例えば、ホストコントローラから充電コマンドを所定時間間隔で受信しているときに）バッテリに充電を実行し、ホストコントローラと通信していないときに（例えば、ホストコントローラから充電コマンドを所定時間間隔で受信していないときに）バッテリに充電を実行しない。従って、クレードル１は、ＤＡＰ２、３を継続的に充電させるために、ホストコントローラからＤＡＰ２、３に充電コマンドを所定時間間隔で送信し続けなければならない。
【００２７】
ＤＡＰ２、３は、各々が内蔵するＨＤＤやフラッシュメモリ等の記録媒体に記録されたオーディオファイルを再生（例えばデコード）し、オーディオデータをＵＳＢ経由でクレードル１に送信する。クレードル１は、ＤＡＰ２、３から受信したオーディオデータを増幅装置５に送信する。増幅装置５はクレードル１から受信したオーディオデータを再生（例えば、ＤＡ変換および増幅）し、外部に接続された図示しないスピーカーから音声を出力する。
【００２８】
増幅装置５は、ユーザ操作に応じてリモコン送信機６からリモコン信号を受信すると、クレードル１に制御信号（例えば、ＤＡＰ２又は３を再生開始させる制御信号）を送信する。クレードル１は、増幅装置５から制御信号を受信すると、ＤＡＰ２又は３を制御する制御信号に変換し、ＤＡＰ２又は３に送信し、ＤＡＰ２又は３を制御する。クレードル１は、ユーザ操作に応じて、リモコン送信機７からリモコン信号を受信する、又は、クレードル１に設けられた操作部が操作されると、制御信号をＤＡＰ２又は３に送信し、ＤＡＰ２又は３を制御する。
【００２９】
図２は、クレードル１等のハードウェアを示す概略ブロック図である。図３は、クレードル１の外観図である。クレードル１は、マイコン（システムコントローラ）１Ａと、ホストコントローラ１Ｂと、スイッチ１Ｅ、１Ｆと、電源部１Ｉと、リモコン受信部１Ｊと、操作部１Ｋと、コネクタ１Ｌａ、１Ｌｂ（これらを総称し、コネクタ１Ｌ（第１接続部）という。）と、コネクタ１Ｍａ、１Ｍｂ（これらを総称し、コネクタ１Ｍ（第２接続部）という。）と、デジタルオーディオ出力端子（以下、出力端子という。）１Ｏと、制御信号入出力端子１Ｐとを備える。コネクタ１Ｌａ、１Ｍａは、ＵＳＢコネクタであり、コネクタ１Ｌｂ、１Ｍｂは、ＵＡＲＴコネクタである。
【００３０】
マイコン１Ａは、図示しないメモリに格納されたプログラムに基づいてクレードル１全体を制御する。マイコン１Ａは、操作部１Ｋのユーザ操作、リモコン受信部１Ｊに入力されるリモコン信号、増幅装置５から受信する制御信号、および、ＤＡＰ２、３の接続状態等に応じて、スイッチ１Ｅ、１Ｆを切り換え制御する。
【００３１】
マイコン１Ａは、ＤＡＰ２から図示しない接続検出ラインを介して、接続検出信号が供給される。例えば、接続検出信号がローレベルであれば、ＤＡＰ２がコネクタ１Ｌに接続されていることが判断され、ハイレベルであれば、ＤＡＰ２がコネクタ１Ｌに接続されていないことが判断される。
【００３２】
マイコン１Ａは、ＤＡＰ３から図示しない接続検出ラインを介して、接続検出信号が供給される。例えば、接続検出信号がローレベルであれば、ＤＡＰ３がコネクタ１Ｍに接続されていることが判断され、ハイレベルであれば、ＤＡＰ３がコネクタ１Ｍに接続されていないことが判断される。
【００３３】
ホストコントローラ１Ｂは、ＵＳＢ経由でＤＡＰ２と接続されているとき、ＤＡＰ２と通信し、ＤＡＰ２を制御する。ホストコントローラ１Ｂは、ＤＡＰ２に充電コマンドを所定時間間隔で送信し、ＤＡＰ２にバッテリを充電させる。また、ホストコントローラ１Ｂは、ＵＳＢ経由でＤＡＰ３と接続されているとき、ＤＡＰ３と通信し、ＤＡＰ３を制御する。ホストコントローラ１Ｂは、ＤＡＰ３に充電コマンドを所定時間間隔で送信し、ＤＡＰ３にバッテリを充電させる。
【００３４】
ホストコントローラ１Ｂは、スイッチ１Ｅと、マイコン１Ａと、出力端子１Ｏとに接続されている。ホストコントローラ１Ｂは、マイコン１Ａからの制御信号をＤＡＰ２に送信し、ＤＡＰ２を制御する。ホストコントローラ１Ｂは、ＤＡＰ２からオーディオデータを受信し、出力端子１Ｏに供給する。また、ホストコントローラ１Ｂは、マイコン１Ａからの制御信号をＤＡＰ３に送信し、ＤＡＰ３を制御する。ホストコントローラ１Ｂは、ＤＡＰ３からオーディオデータを受信し、出力端子１Ｏに供給する。なお、本発明の構成には必須ではないが、実際の製品の場合には、ホストコントローラ１Ｂと出力端子１Ｏとの間には、ホストコントローラ１ＢからのオーディオデータをＳＰＤＩＦ形式に変換するデジタルオーディオ送信部が設けられるとよい。
【００３５】
本実施形態の特徴は、マイコン１Ａが、ホストコントローラ１Ｂと同様に、充電コマンドをＤＡＰに送信することである。つまり、マイコン１Ａは、ＵＡＲＴ経由でＤＡＰ２と接続されているとき、ＤＡＰ２と通信し、ＤＡＰ２を制御する。マイコン１Ａは、ＤＡＰ２にＵＡＲＴ経由で充電コマンドを所定時間間隔で送信し、ＤＡＰ２にバッテリを充電させる。また、マイコン１Ａは、ＵＡＲＴ経由でＤＡＰ３と接続されているとき、ＤＡＰ３と通信し、ＤＡＰ３を制御する。マイコン１Ａは、ＤＡＰ３にＵＡＲＴ経由で充電コマンドを所定時間間隔で送信し、ＤＡＰ３にバッテリを充電させる。マイコン１Ａは、スイッチ１Ｆと、ホストコントローラ１Ｂと、制御信号入出力端子１Ｐとに接続されている。
【００３６】
スイッチ１Ｅは、コネクタ１Ｌａとホストコントローラ１Ｂとを接続させるか、又は、コネクタ１Ｍａとホストコントローラ１Ｂとを接続させるかをマイコン１Ａからの指示に基づいて切り換える。スイッチ１Ｆは、コネクタ１Ｌｂとマイコン１Ａとを接続させるか、又は、コネクタ１Ｍｂとマイコン１Ａとを接続させるかをマイコン１Ａからの指示に基づいて切り換える。
【００３７】
マイコン１Ａは、ＤＡＰ２のオーディオデータを増幅装置５に供給する場合、スイッチ１Ｅに、コネクタ１Ｌａとホストコントローラ１Ｂとを接続させる。従って、ホストコントローラ１ＢがＤＡＰ２にＵＳＢ経由で充電コマンドを送信することによって、ＤＡＰ２を充電させることができる。このとき、マイコン１Ａは、スイッチ１Ｆに、コネクタ１Ｍｂとマイコン１Ａとを接続させる。従って、マイコン１ＡがＤＡＰ３にＵＡＲＴ経由で充電コマンドを送信することによって、ＤＡＰ３を充電させることができる。
【００３８】
同様に、マイコン１Ａは、ＤＡＰ３のオーディオデータを増幅装置５に供給する場合、スイッチ１Ｅに、コネクタ１Ｍａとホストコントローラ１Ｂとを接続させる。従って、ホストコントローラ１ＢがＤＡＰ３にＵＳＢ経由で充電コマンドを送信することによって、ＤＡＰ３を充電させることができる。このとき、マイコン１Ａは、スイッチ１Ｆに、コネクタ１Ｌｂとマイコン１Ａとを接続させる。従って、マイコン１ＡがＤＡＰ２にＵＡＲＴ経由で充電コマンドを送信することによって、ＤＡＰ２を充電させることができる。
【００３９】
なお、図２Ｂに示すように、マイコン１ＡがＤＡＰ２、ＤＡＰ３とＵＡＲＴ経由で常時接続される実施形態においては、スイッチ１Ｆは不要である。つまり、マイコン１Ａはコネクタ１Ｌｂ、１Ｍｂに直接接続されている。
【００４０】
電源部１Ｉは、図３に示す電源コネクタから商用交流電源が供給され、商用交流電源から直流電源電圧を生成し、クレードル１の各部に供給し、かつ、コネクタ１Ｌを介してＤＡＰ２に供給する。ＤＡＰ２に供給された直流電源電圧は、ＤＡＰ２がバッテリを充電するために使用される。また、電源部１Ｉは、直流電源電圧を、コネクタ１Ｍを介してＤＡＰ３に供給する（ラインは図示せず）。ＤＡＰ３に供給された直流電源電圧は、ＤＡＰ３がバッテリを充電するために使用される。
【００４１】
リモコン受信部１Ｊは、クレードル１用のリモコン送信機７からリモコン信号を受信し、マイコン１Ａに制御信号を供給する。
【００４２】
操作部１Ｋは、ユーザ操作に基づく指示を受け付けるものである。操作部１Ｋは、オーディオセレクタスイッチであるＤＡＰ２ボタン、ＤＡＰ３ボタンと、電源ボタンとを含む。ＤＡＰ２ボタンは、クレードル１がＤＡＰ２からのオーディオデータを受信し、出力端子１Ｏから増幅装置５へと出力する状態（以下、ＤＡＰ２再生状態という。）に切り換えるためのボタンである。ＤＡＰ３ボタンは、クレードル１がＤＡＰ３からのオーディオデータを受信し、出力端子１Ｏから増幅装置５へと出力する状態（以下、ＤＡＰ３再生状態という。）に切り換えるためのボタンである。電源ボタンは、クレードル１を電源オン状態またはスタンバイ状態に切り換えるボタンである。これらのボタンはリモコン送信機７にも同様に設けられている。
【００４３】
コネクタ１Ｌは、ＤＡＰ２のコネクタと接続可能である。コネクタ１Ｌは、ＵＳＢコネクタ１Ｌａ（データラインＤ＋，Ｄ−及び５Ｖ電源ラインの各端子）、ＵＡＲＴコネクタ１Ｌｂ、及び、ＤＡＰ２から接続検出信号を受信するコネクタ等を含む。コネクタ１Ｌａは、スイッチ１Ｅおよび電源部１Ｉに接続され、コネクタ１Ｌｂはスイッチ１Ｆに接続されている。
【００４４】
コネクタ１Ｍは、ＤＡＰ３のコネクタと接続可能である。コネクタ１Ｍは、ＵＳＢコネクタ１Ｍａ（データラインＤ＋，Ｄ−及び５Ｖ電源ラインの各端子）、ＵＡＲＴコネクタ１Ｍｂ、及び、ＤＡＰ３から接続検出信号を受信するコネクタを含む。コネクタ１Ｍａは、スイッチ１Ｅおよび電源部１Ｉに接続され、コネクタ１Ｍｂは、スイッチ１Ｆに接続されている。
【００４５】
制御信号入出力端子１Ｐは、マイコン１Ａに接続されており、増幅装置５に制御信号ラインを介して接続可能である。増幅装置５は、増幅装置５用のリモコン送信機６からのリモコン信号を受信すると、制御信号を制御信号入出力端子１Ｐに送信する。制御信号入出力端子１Ｐは、増幅装置５からの制御信号を受信し、マイコン１Ａに供給する。例えば、増幅装置５からＤＡＰ２を再生開始する制御信号が制御信号入出力端子１Ｐに入力されると、マイコン１Ａは、ＤＡＰ２に再生指示を送信すると共に、ＤＡＰ２再生状態に切り換える。増幅装置５からＤＡＰ３を再生開始する制御信号が制御信号入出力端子１Ｐに入力されると、マイコン１Ａは、ＤＡＰ３に再生指示を送信すると共に、ＤＡＰ３再生状態に切り換える。
【００４６】
マイコン１Ａは、制御信号入出力端子１Ｐを介して、増幅装置５に制御信号を送信する。例えば、マイコン１Ａは、クレードル１がＤＡＰ２再生状態であるか、又は、ＤＡＰ３再生状態であるかを示す再生状態情報を、制御信号入出力端子１Ｐを介して増幅装置５に送信する。増幅装置５の表示部にクレードル１がＤＡＰ２再生状態であるか、又は、ＤＡＰ３再生状態であるかを表示させるためである。
【００４７】
ＤＡＰ２は、ＨＤＤ２Ａおよび再生部２Ｂ等を備える。再生部２Ｂは、ＨＤＤに記録されたオーディオファイルを再生し、クレードル１にオーディオデータを出力する。ＤＡＰ３は、ＨＤＤ３Ａおよび再生部３Ｂ等を備える。再生部３Ｂは、ＨＤＤに記録されたオーディオファイルを再生し、クレードル１にオーディオデータを出力する。ＤＡＰ２、３自体は一般的なものが採用されるとよい。
【００４８】
図４は、増幅装置５を示すブロック図である。増幅装置５は、マイコン５Ａと、セレクタ５Ｂと、増幅部５Ｃと、表示部５Ｄと、リモコン受信部５Ｅと、操作部５Ｆと、デジタルオーディオ入力端子（以下、入力端子という。）５Ｇ〜５Ｉ（なお、入力端子５Ｈ、５Ｉはアナログオーディオ入力端子でもよい。）と、制御信号入出力端子５Ｊと、メモリ（ＲＯＭ、ＲＡＭ等）５Ｋとを備える。入力端子５Ｇにはクレードル１の出力端子１Ｏが接続され、クレードル１からオーディオデータを受信し、セレクタ５Ｂに供給する。入力端子５Ｈ、５Ｉには任意のソース機器（例えば、ＣＤプレーヤ、ＭＤプレーヤ等）が接続可能である。
【００４９】
マイコン５Ａは、メモリ５Ｋに格納されたプログラムに基づいて動作し、リモコン受信部５Ｅ又は操作部５Ｆを介してユーザ操作によって入力される指示に基づいて増幅装置５の各部を制御する。マイコン５Ａは、制御信号入出力端子５Ｊを介してクレードル１のマイコン１Ａに制御信号を送信する。例えば、ユーザのリモコン操作によってＤＡＰ２再生指示が入力されたとき、マイコン５Ａは、ＤＡＰ２再生指示を制御信号入出力端子５Ｊを介してクレードル１のマイコン１Ａに送信する。同様に、ＤＡＰ３再生指示が入力されたとき、マイコン５Ａは、ＤＡＰ３再生指示を制御信号入出力端子５Ｊを介してクレードル１のマイコン１Ａに送信する。マイコン５Ａには、クレードル１のマイコン１Ａからの制御信号が制御信号入出力端子５Ｊを介して入力される。
【００５０】
セレクタ５Ｂは、マイコン５Ａからの指示に応じて、入力端子５Ｇ〜５Ｉの１つを選択し、選択した入力端子から入力されるオーディオデータを増幅部５Ｃに供給する。セレクタ５Ｂの選択状態として、入力端子５Ｇを選択するＤＡＰ選択状態、入力端子５Ｈを選択するＣＤ選択状態、入力端子５Ｉを選択するＭＤ選択状態等が存在する。マイコン５Ａは、セレクタ５ＢがＣＤ選択状態のとき表示部５Ｄに「ＣＤ」と表示し、セレクタ５ＢがＭＤ選択状態のとき表示部５Ｄに「ＭＤ」と表示する。マイコン５Ａは、クレードル１のマイコン１Ａからクレードル１がＤＡＰ２再生状態であるか、又は、ＤＡＰ３再生状態であるかの情報を制御信号入出力端子５Ｊを介して取得する。セレクタ５ＢがＤＡＰ選択状態である場合、マイコン５Ａは、クレードル１がＤＡＰ２再生状態であれば、図５（ａ）に示すように表示部５Ｄに「ＤＡＰ２」と表示し、クレードル１がＤＡＰ３再生状態であれば、図５（ｂ）に示すように表示部５Ｄに「ＤＡＰ３」と表示する。従って、ユーザは、増幅装置５がＤＡＰ２からのオーディオデータを再生しているか、ＤＡＰ３からのオーディオデータを再生しているかを、表示部５Ｄの表示内容を見ることによって判断することができる。
【００５１】
増幅部５Ｃは、セレクタ５Ｂから供給されたオーディオデータをデジタル−アナログ変換し、増幅し、外部接続されたスピーカーに音声を出力する。
【００５２】
以下、クレードル１の動作を説明する。図６は、ＤＡＰ２再生状態と、ＤＡＰ３再生状態とを切り換えるマイコン１Ａの初期動作を示す。マイコン１Ａは、スイッチ１Ｅにコネクタ１Ｌａとホストコントローラ１Ｂとを接続させ、スイッチ１Ｆにコネクタ１Ｍｂとマイコン１Ａとを接続させる（Ｓ１）。つまり、マイコン１Ａは、初期状態として、ＤＡＰ２再生状態に設定する。従って、ＤＡＰ２からのオーディオデータをスイッチ１Ｅ、ホストコントローラ１Ｂ、出力端子１Ｏを介して増幅装置５に出力することができる。この場合、ホストコントローラ１ＢからＤＡＰ２にＵＳＢ経由で充電コマンドが送信され、ＤＡＰ２を充電させることができる。また、マイコン１ＡからＤＡＰ３にＵＡＲＴ経由で充電コマンドが送信され、ＤＡＰ３を充電させることができる。なお、マイコン１Ａは、増幅装置５のマイコン５ＡにクレードルがＤＡＰ２再生状態であることを通知する。
【００５３】
Ｓ２〜Ｓ５では、ＤＡＰ２、３のクレードル１への接続状態に応じてマイコン１Ａがスイッチを切り換える。この処理は、ＤＡＰ２、３がクレードル１に接続される際に実行されるが、この処理を実行しないようにユーザ操作によって設定することもできる。マイコン１Ａは、コネクタ１ＬにＤＡＰ２から接続検出信号が供給されていない状態から、供給されている状態に変更されたか否かを判断することにより、ＤＡＰ２がコネクタ１Ｌに接続されたか否かを判断する（Ｓ２）。ＤＡＰ２が接続されたと判断されると（Ｓ２でＹＥＳ）、マイコン１Ａは、スイッチ１Ｅにコネクタ１Ｌａとホストコントローラ１Ｂとを接続させ、スイッチ１Ｆにコネクタ１Ｍｂとマイコン１Ａとを接続させる。つまり、マイコン１Ａは、ＤＡＰ２再生状態に設定する（Ｓ３）。必要に応じて、マイコン１Ａは、ホストコントローラ１Ｂを介して、ＤＡＰ２に再生コマンドを送信し、ＤＡＰ２にオーディオファイルを再生開始させる。従って、ＤＡＰ２からのオーディオデータがスイッチ１Ｅ、ホストコントローラ１Ｂ、出力端子１Ｏを介して増幅装置５に出力される。この場合、ホストコントローラ１ＢからＤＡＰ２にＵＳＢ経由で充電コマンドが送信され、ＤＡＰ２を充電させることができる。また、マイコン１ＡからＤＡＰ３にＵＡＲＴ経由で充電コマンドが送信され、ＤＡＰ３を充電させることができる。なお、マイコン１Ａは、増幅装置５のマイコン５ＡにクレードルがＤＡＰ２再生状態であることを通知する。
【００５４】
ＤＡＰ２が接続されない場合（Ｓ２でＮＯ）、マイコン１Ａは、コネクタ１ＭにＤＡＰ３から接続検出信号が供給されていない状態から、供給されている状態に変更されたか否かを判断することにより、ＤＡＰ３がコネクタ１Ｍに接続さたか否かを判断する（Ｓ４）。ＤＡＰ３が接続されたと判断された場合（Ｓ４でＹＥＳ）、マイコン１Ａは、スイッチ１Ｅにコネクタ１Ｍａとホストコントローラ１Ｂとを接続させ、スイッチ１Ｆにコネクタ１Ｌｂとマイコン１Ａとを接続させる。つまり、マイコン１Ａは、ＤＡＰ３再生状態に設定する（Ｓ５）。必要に応じて、マイコン１Ａは、ホストコントローラ１Ｂを介して、ＤＡＰ３に再生コマンドを送信し、ＤＡＰ３にオーディオファイルを再生開始させる。従って、ＤＡＰ３からのオーディオデータがスイッチ１Ｅ、ホストコントローラ１Ｂ、出力端子１Ｏを介して増幅装置５に出力される。この場合、ホストコントローラ１ＢからＤＡＰ３にＵＳＢ経由で充電コマンドが送信され、ＤＡＰ３を充電させることができる。また、マイコン１ＡからＤＡＰ２にＵＡＲＴ経由で充電コマンドが送信され、ＤＡＰ２を充電させることができる。なお、マイコン１Ａは、増幅装置５のマイコン５ＡにクレードルがＤＡＰ３再生状態であることを通知する。
【００５５】
図７は、ユーザ操作による、ＤＡＰ２再生状態に移行する指示、ＤＡＰ３再生状態に移行する指示に応じてマイコン１Ａがスイッチを切り換える処理を示す。マイコン１Ａは、ＤＡＰ２再生状態に移行する指示が入力されたか否かを判断している（Ｓ１１）。例えば、ＤＡＰ２ボタンが操作されたか否か、又は、増幅装置５のマイコン５ＡからＤＡＰ２再生状態に移行する指示が入力されたか否かが判断される。ＤＡＰ２再生状態に移行する指示が入力されていない場合（Ｓ１１でＮＯ）、処理はＳ１５に進む。ＤＡＰ２再生状態に移行する指示が入力された場合（Ｓ１１でＹＥＳ）、マイコン１Ａは、ＤＡＰ２がコネクタ１Ｌに接続されているか否かを判断する（Ｓ１２）。ＤＡＰ２が接続されている場合（Ｓ１２でＹＥＳ）、マイコン１Ａは、スイッチ１Ｅにコネクタ１Ｌａとホストコントローラ１Ｂとを接続させ、スイッチ１Ｆにコネクタ１Ｍｂとマイコン１Ａとを接続させる。つまり、マイコン１Ａは、ＤＡＰ２再生状態に切り換える（Ｓ１３）。必要に応じて、マイコン１Ａは、ホストコントローラ１Ｂを介して、ＤＡＰ２に再生コマンドを送信し、ＤＡＰ２にオーディオファイルを再生開始させる。なお、マイコン１Ａは、増幅装置５のマイコン５ＡにクレードルがＤＡＰ２再生状態であることを通知する。従って、ＤＡＰ２からのオーディオデータがスイッチ１Ｅ、ホストコントローラ１Ｂ、出力端子１Ｏを介して増幅装置５に出力される。その後、処理はＳ１５に進む。この場合、ホストコントローラ１ＢからＤＡＰ２にＵＳＢ経由で充電コマンドが送信され、ＤＡＰ２を充電させることができる。また、マイコン１ＡからＤＡＰ３にＵＡＲＴ経由で充電コマンドが送信され、ＤＡＰ３を充電させることができる。
【００５６】
一方、ＤＡＰ２が接続されていない場合（Ｓ１２でＮＯ）、マイコン１Ａは、スイッチを切り換えさせず（ＤＡＰ２再生状態に切り換えず）、図示しないＬＥＤを点滅させることにより、エラーをユーザに告知する（Ｓ１４）。例えば、ＤＡＰ３再生状態において、ＤＡＰ２が接続されていないときに、ユーザ誤操作によって、ＤＡＰ２再生状態に移行する指示が入力された場合、ＤＡＰ２再生状態に移行してしまうと、ＤＡＰ３からのオーディオデータが増幅装置５に供給されなくなるが、本例ではこのような問題を解決できる。なお、Ｓ１２、Ｓ１４を省略し、Ｓ１１でＹＥＳと判断された場合に、必ずＳ１３に進んでもよい。
【００５７】
マイコン１Ａは、ＤＡＰ３再生状態に移行する指示が入力されたか否かを判断している（Ｓ１５）。例えば、ＤＡＰ３ボタンが操作されたか否か、又は、増幅装置５のマイコン５ＡからＤＡＰ３再生状態に移行する指示が入力されたか否かが判断される。ＤＡＰ３再生状態に移行する指示が入力されていない場合（Ｓ１５でＮＯ）、処理はＳ１１に戻る。ＤＡＰ３再生状態に移行する指示が入力された場合（Ｓ１５でＹＥＳ）、マイコン１Ａは、ＤＡＰ３がコネクタ１Ｍに接続されているか否かを判断する（Ｓ１６）。ＤＡＰ３が接続されている場合（Ｓ１６でＹＥＳ）、マイコン１Ａは、スイッチ１Ｅにコネクタ１Ｍａとホストコントローラ１Ｂとを接続させ、スイッチ１Ｆにコネクタ１Ｌｂとマイコン１Ａとを接続させる。つまり、マイコン１Ａは、ＤＡＰ３再生状態に設定する（Ｓ１７）。必要に応じて、マイコン１Ａは、ホストコントローラ１Ｂを介して、ＤＡＰ３に再生コマンドを送信し、ＤＡＰ３にオーディオファイルを再生開始させる。なお、マイコン１Ａは、増幅装置５のマイコン５ＡにクレードルがＤＡＰ３再生状態であることを通知する。従って、ＤＡＰ３からのオーディオデータがスイッチ１Ｅ、ホストコントローラ１Ｂ、出力端子１Ｏを介して増幅装置５に出力される。その後、処理はＳ１１に戻る。この場合、ホストコントローラ１ＢからＤＡＰ３にＵＳＢ経由で充電コマンドが送信され、ＤＡＰ３を充電させることができる。また、マイコン１ＡからＤＡＰ２にＵＡＲＴ経由で充電コマンドが送信され、ＤＡＰ２を充電させることができる。
【００５８】
一方、ＤＡＰ３が接続されていない場合（Ｓ１６でＮＯ）、マイコン１Ａは、スイッチを切り換えさせず（ＤＡＰ３再生状態に切り換えず）、図示しないＬＥＤを点滅させることにより、エラーをユーザに告知する（Ｓ１８）。例えば、ＤＡＰ２再生状態において、ＤＡＰ３が接続されていないときに、ユーザ誤操作によって、ＤＡＰ３再生状態に移行する指示が入力された場合、ＤＡＰ３再生状態に移行してしまうと、ＤＡＰ２からのオーディオデータが増幅装置５に供給されなくなるが、本例ではこのような問題を解決できる。なお、Ｓ１６、Ｓ１８を省略し、Ｓ１５でＹＥＳと判断された場合に、必ずＳ１７に進んでもよい。
【００５９】
図８は、ＤＡＰからの再生開始通知に基づくマイコン１Ａの処理を示す。マイコン１Ａは、ＤＡＰ２からの再生開始通知に基づいて、ＤＡＰ２がオーディオデータを再生開始したか否かを判断する（Ｓ３１）。マイコン１ＡがＤＡＰ２に接続されている場合、マイコン１Ａは再生開始通知をＤＡＰ２から直接受信する。一方、ホストコントローラ１ＢがＤＡＰ２に接続されている場合、ホストコントローラ１ＢはＤＡＰ２から再生開始通知を受信すると、これをマイコン１Ａに転送する。ＤＡＰ２が再生開始した場合（Ｓ３１でＹＥＳ）、マイコン１Ａは、スイッチ１Ｅにコネクタ１Ｌａとホストコントローラ１Ｂとを接続させ、スイッチ１Ｆにコネクタ１Ｍｂとマイコン１Ａとを接続させる。つまり、マイコン１Ａは、ＤＡＰ２再生状態に設定する（Ｓ３２）。なお、マイコン１Ａは、増幅装置５のマイコン５ＡにクレードルがＤＡＰ２再生状態であることを通知する。従って、ＤＡＰ２からのオーディオデータがスイッチ１Ｅ、ホストコントローラ１Ｂ、出力端子１Ｏを介して増幅装置５に出力される。その後、処理はＳ３３に進む。この場合、ホストコントローラ１ＢからＤＡＰ２にＵＳＢ経由で充電コマンドが送信されることにより、ＤＡＰ２を充電させることができる。また、マイコン１ＡからＤＡＰ３にＵＡＲＴ経由で充電コマンドが送信されることにより、ＤＡＰ３を充電させることができる。
【００６０】
マイコン１Ａは、ＤＡＰ３からの再生開始通知に基づいて、ＤＡＰ３がオーディオデータを再生開始したか否かを判断する（Ｓ３３）。マイコン１ＡがＤＡＰ３に接続されている場合、マイコン１Ａは再生開始通知をＤＡＰ３から直接受信する。一方、ホストコントローラ１ＢがＤＡＰ３に接続されている場合、ホストコントローラ１ＢはＤＡＰ３から再生開始通知を受信すると、これをマイコン１Ａに転送する。ＤＡＰ３が再生開始した場合（Ｓ３３でＹＥＳ）、マイコン１Ａは、スイッチ１Ｅにコネクタ１Ｍａとホストコントローラ１Ｂとを接続させ、スイッチ１Ｆにコネクタ１Ｌｂとマイコン１Ａとを接続させる。つまり、マイコン１Ａは、ＤＡＰ３再生状態に設定する（Ｓ３４）。なお、マイコン１Ａは、増幅装置５のマイコン５ＡにクレードルがＤＡＰ３再生状態であることを通知する。従って、ＤＡＰ３からのオーディオデータがスイッチ１Ｅ、ホストコントローラ１Ｂ、出力端子１Ｏを介して増幅装置５に出力される。その後、処理はＳ３１に戻る。この場合、ホストコントローラ１ＢからＤＡＰ３にＵＳＢ経由で充電コマンドが送信されることにより、ＤＡＰ３を充電させることができる。また、マイコン１ＡからＤＡＰ２にＵＡＲＴ経由で充電コマンドが送信されることにより、ＤＡＰ２を充電させることができる。
【００６１】
図９は、クレードル１がスタンバイ状態から電源オン状態に移行する際のマイコン１Ａの動作を示す。マイコン１Ａは、スタンバイ状態から電源オン状態に移行する指示が入力されたか否かを判断している（Ｓ４１）。例えば、クレードル１がスタンバイ状態のときに、電源ボタンが操作されたか否か、又は、増幅装置５のマイコン５Ａから、スタンバイ状態から電源オン状態に移行する指示を受信したか否かを判断する。電源オンする指示が入力された場合（Ｓ４１でＹＥＳ）、マイコン１Ａはクレードル１をスタンバイ状態から電源オン状態に移行させる（Ｓ４２）。その後、マイコン１Ａは、クレードル１がＤＡＰ２再生状態であるか、又は、ＤＡＰ３再生状態であるかの情報を、増幅装置５のマイコン５Ａに送信する（Ｓ４３）。このとき、クレードル１はスタンバイ状態の時にも図示しないメモリにクレードル１がＤＡＰ２再生状態であるか、又は、ＤＡＰ３再生状態であるかの情報を記憶しているので、クレードル１がスタンバイ状態から電源オン状態になった際に、メモリに記憶しているＤＡＰ２再生状態、又は、ＤＡＰ３再生状態に復帰すると共に、クレードル１がＤＡＰ２再生状態であるか、又は、ＤＡＰ３再生状態であるかの情報を、増幅装置５のマイコン５Ａに送信する。
【００６２】
図１０、図１１は、増幅装置５のマイコン５Ａの処理を示す。図１０に示すように、マイコン５Ａは、クレードル１のマイコン１Ａから、クレードル１がＤＡＰ２再生状態であるか、又は、ＤＡＰ３再生状態であるかの情報を受信したか否かを判断している（Ｓ５１）。受信した場合（Ｓ５１でＹＥＳ）、マイコン５Ａは、メモリ５Ｋにクレードル１がＤＡＰ２再生状態であるか、又は、ＤＡＰ３再生状態であるかの情報を記憶させる（Ｓ５２）。
【００６３】
マイコン５Ａは、メモリに記憶した再生状態情報がＤＡＰ２再生状態であるか否かを判断する（Ｓ５３）。ＤＡＰ２再生状態であれば（Ｓ５３でＹＥＳ）、セレクタ５ＢがＤＡＰ選択状態である場合に、マイコン５Ａは、図５（ａ）に示すように表示部５Ｄに「ＤＡＰ２」と表示させる（Ｓ５４）。ＤＡＰ２再生状態でなく、ＤＡＰ３再生状態であれば（Ｓ５３でＮＯ）、セレクタ５ＢがＤＡＰ選択状態である場合に、マイコン５Ａは、図５（ｂ）に示すように表示部５Ｄに「ＤＡＰ３」と表示させる（Ｓ５５）。
【００６４】
なお、Ｓ５１、Ｓ５２の処理は、増幅装置５がスタンバイ状態の時にも実行される。スタンバイ状態では、マイコン５Ａのみに図示しないスタンバイ電源回路から電源電圧が供給され、動作を実行可能だからである。従って、増幅装置５がスタンバイ状態から電源オン状態に移行した際に、セレクタ５ＢがＤＡＰ選択状態であれば、メモリ５Ｋに記憶されているクレードル１がＤＡＰ２再生状態であるか、又は、ＤＡＰ３再生状態であるかの情報に基づいて、ＤＡＰ２再生状態であれば表示部５Ｄに「ＤＡＰ２」と表示させ、ＤＡＰ３再生状態であれば表示部５Ｄに「ＤＡＰ３」と表示させる。従って、増幅装置５がスタンバイ状態のときに、クレードルの再生状態が変更された場合にも、メモリ５Ｋに記憶されるクレードル１の再生状態が正確なものに随時変更されるので、増幅装置５が電源オン状態に移行した際に、クレードル１の正確な再生状態を表示させることができる。
【００６５】
図１１に示すように、マイコン５Ａは、ユーザ操作により、リモコン受信部５Ｅ又は操作部５Ｆを介して、クレードル１をＤＡＰ２再生状態、又は、ＤＡＰ３再生状態に移行させる指示が入力されたか否かを判断する（Ｓ６１）。入力されない場合（Ｓ６１でＮＯ）、処理はＳ６３に進む。入力された場合（Ｓ６１でＹＥＳ）、マイコン５Ａは、クレードル１をＤＡＰ２再生状態、又は、ＤＡＰ３再生状態に移行させる指示を、クレードル１のマイコン１Ａに送信する（Ｓ６２）。なお、このタイミングでは、マイコン５Ａは、メモリに記憶されている、クレードル１がＤＡＰ２再生状態であるか、又は、ＤＡＰ３再生状態であるかの情報を変更しない。実際に、クレードル１のマイコン１Ａから、クレードル１がＤＡＰ２再生状態であるか、又は、ＤＡＰ３再生状態であるかの情報を受信したときにはじめてメモリに記憶されている、クレードル１がＤＡＰ２再生状態であるか、又は、ＤＡＰ３再生状態であるかの情報を変更する。これにより、より確実にクレードル１の実際の再生状態と、増幅装置のメモリに記憶されているクレードル１の再生状態とを同期させることができる。
【００６６】
マイコン５Ａは、ユーザ操作により、リモコン受信部５Ｅ又は操作部５Ｆを介して、ＤＡＰ２を再生開始する指示またはＤＡＰ３を再生開始する指示が入力されたか否かを判断する（Ｓ６３）。入力されない場合（Ｓ６３でＮＯ）、処理はＳ６５に進む。ＤＡＰ２を再生開始する指示が入力された場合（Ｓ６３でＹＥＳ）、マイコン５Ａは、ＤＡＰ２を再生開始する指示を、クレードル１のマイコン１Ａに送信する（Ｓ６４）。また、ＤＡＰ３を再生開始する指示が入力された場合（Ｓ６３でＹＥＳ）、マイコン５Ａは、ＤＡＰ３を再生開始する指示を、クレードル１のマイコン１Ａに送信する（Ｓ６４）。なお、このタイミングでは、マイコン５Ａは、メモリに記憶されているクレードル１の再生状態をＤＡＰ２再生状態またはＤＡＰ３再生状態に変更しない。実際に、クレードル１のマイコン１Ａから、クレードル１がＤＡＰ２再生状態またはＤＡＰ３再生状態であることを示す情報を受信したときにはじめて、メモリに記憶されているクレードル１の再生状態をＤＡＰ２再生状態またはＤＡＰ３再生状態に変更する。これにより、より確実にクレードル１の実際の再生状態と、増幅装置のメモリに記憶されているクレードル１の再生状態とを同期させることができる。
【００６７】
マイコン５Ａは、ユーザ操作により、リモコン受信部５Ｅ又は操作部５Ｆを介して、電源オン状態に移行する指示が入力されたか否かを判断する（Ｓ６５）。入力されない場合（Ｓ６５でＮＯ）、処理はＳ６１に戻る。入力された場合（Ｓ６５でＹＥＳ）、マイコン５Ａは増幅装置５をスタンバイ状態から電源オン状態に移行し、クレードル１のマイコン１Ａにスタンバイ状態から電源オン状態に移行する指示を送信する（Ｓ６６）。クレードル１がスタンバイ状態から電源オン状態に移行した後、クレードル１のマイコン１Ａからクレードル１がＤＡＰ２再生状態であるか、又は、ＤＡＰ３再生状態であるかの情報を受信するので、クレードル１の正確な再生状態を表示させることができる。例えば、増幅装置５がスタンバイ状態であり、クレードル１が電源オン状態で、増幅装置５とクレードル１とが通信ケーブルが抜かれている状態で、クレードル１のＤＡＰ２再生状態、又は、ＤＡＰ３再生状態が変更され、その後、クレードル１がスタンバイ状態にされたあと、増幅装置５とクレードル１とが通信ケーブルによって接続され、増幅装置５とクレードル１とが電源オン状態になった場合に、再生状態を同期させることができる。
【００６８】
以上のように、本実施形態によると、クレードル１が、２つのＤＡＰを接続可能であり、ホストコントローラを１つしか備えない場合でも、２つのＤＡＰを同時に充電させることができる。つまり、オーディオデータを増幅装置５に出力しない方のＤＡＰも充電させることができる。
【００６９】
［実施例２］
図１２に示すように、クレードル２１がホストコントローラ１Ｂを備えずに、ＵＳＢコネクタ１Ｎを備え、コネクタ１Ｎにホストコントローラ４Ａを備えるＰＣ４が接続可能でもよい。この場合、図２のホストコントローラ１Ｂの代わりに、ＰＣ４のホストコントローラ４ＡがＤＡＰ２、又は、ＤＡＰ３に充電コマンドを送信する。スイッチ１Ｅは、コネクタ１Ｌａとコネクタ１Ｎとを接続するか、又は、コネクタ１Ｍａとコネクタ１Ｎとを接続するかをマイコン１Ａからの指示に応じて切り換える。クレードル２１は、ＤＡＰ２記録動作状態と、ＤＡＰ３記録動作状態とを有する。ＤＡＰ２記録動作状態は、ＰＣ４のＨＤＤ４Ｂに記録されているオーディオファイルをクレードル１を介してＤＡＰ２に転送し、ＤＡＰ２のＨＤＤ２Ａに記録させる状態である。ＤＡＰ３記録動作状態は、ＰＣ４のＨＤＤ４Ｂに記録されているオーディオファイルをクレードル１を介してＤＡＰ３に転送し、ＤＡＰ３のＨＤＤ３Ａに記録させる状態である。
【００７０】
図１３に示すように、マイコン１Ａは、ＤＡＰ２記録動作状態に移行する指示がユーザ操作によって入力されたか否かを判断している（Ｓ８１）。入力されていない場合（Ｓ８１でＮＯ）、処理はＳ８３に進む。入力された場合（Ｓ８１でＹＥＳ）、マイコン１Ａは、スイッチ１Ｅにコネクタ１Ｌａとコネクタ１Ｎとを接続させ、スイッチ１Ｆにコネクタ１Ｍｂとマイコン１Ａとを接続させる。つまり、ＤＡＰ２とＰＣ４とを接続させる（Ｓ８２）。従って、ＰＣ４からのオーディオファイルがコネクタ１Ｎ、スイッチ１Ｅ、コネクタ１Ｌａを介してＤＡＰ２に送信される。この場合、ホストコントローラ４ＡからＤＡＰ２にＵＳＢ経由で充電コマンドが送信され、ＤＡＰ２を充電させることができる。また、マイコン１ＡからＤＡＰ３にＵＡＲＴ経由で充電コマンドが送信され、ＤＡＰ３を充電させることができる。
【００７１】
マイコン１Ａは、ＤＡＰ３記録動作状態に移行する指示がユーザ操作によって入力されたか否かを判断している（Ｓ８３）。入力されていない場合（Ｓ８３でＮＯ）、処理はＳ８１に戻る。入力された場合（Ｓ８３でＹＥＳ）、マイコン１Ａは、スイッチ１Ｅにコネクタ１Ｍａとコネクタ１Ｎとを接続させ、スイッチ１Ｆにコネクタ１Ｌｂとマイコン１Ａとを接続させる。つまり、ＤＡＰ３とＰＣ４とを接続させる（Ｓ８４）。従って、ＰＣ４からのオーディオファイルがコネクタ１Ｎ、スイッチ１Ｅ、コネクタ１Ｍａを介してＤＡＰ３に送信される。この場合、ホストコントローラ４ＡからＤＡＰ３にＵＳＢ経由で充電コマンドが送信され、ＤＡＰ３を充電させることができる。また、マイコン１ＡからＤＡＰ２にＵＡＲＴ経由で充電コマンドが送信され、ＤＡＰ２を充電させることができる。
【００７２】
以上のように、本実施形態によると、クレードル２１が２つのＤＡＰを接続可能であり、ホストコントローラを備えず、ホストコントローラを１つ備えるＰＣ４が接続可能な場合に、２つのＤＡＰを同時に充電させることができ、つまり、ＰＣ４からオーディオファイルを受信しない方のＤＡＰも充電させることができる。なお、本実施形態においても、図２Ｂと同様に、マイコン１ＡがＵＡＲＴ経由でＤＡＰ２、ＤＡＰ３と常時接続する場合には、スイッチ１Ｆを省略することができる。また、ＤＡＰ２、又は、ＤＡＰ３からのオーディオデータをＰＣ４にクレードル２１経由で送信し、ＰＣ４が内蔵するアンプで再生する構成では、オーディオデータをＰＣ４に送信する方のＤＡＰをＰＣ４に接続するようにスイッチ１Ｅが制御される。あるいは、ＰＣ４からの制御信号によってＤＡＰ２に記録されているオーディオファイルを削除する構成は、オーディオファイルを削除するＤＡＰをＰＣ４に接続するようにスイッチ１Ｅが制御される。従って、これらを総称し、ＰＣ４とＤＡＰ２とが通信する必要がある状態と呼ぶ。
【００７３】
［実施例３］
図１４は、本実施形態によるクレードル３１等を示すブロック図である。クレードル３１は、図２のクレードル１と比較し、ホストコントローラ１Ｂ、コネクタ１Ｍ、スイッチ１Ｅ、１Ｆが省略されており、１つのＤＡＰ２しか接続することができない。一方、クレードル３１は、ＵＳＢコネクタ１Ｎを備え、コネクタ１ＮにはＰＣ４が接続可能である。ＰＣ４は、ホストコントローラ４ＡおよびＨＤＤ４Ｂ等を備える。
【００７４】
マイコン１Ａは、ＰＣ４からＵＳＢ経由でＶＢＵＳ(５Ｖ直流電圧)が供給される。マイコン１Ａは、ＶＢＵＳの供給有無を判断する。ＶＢＵＳが供給されていれば、ＰＣ４がＵＳＢ端子１Ｎに接続され、かつ、ＰＣ４が電源オン状態であることが判断される。ＶＢＵＳが供給されていなければ、ＰＣ４がＵＳＢ端子１Ｎに接続されていない、または、ＰＣ４が電源オフ状態であることが判断される。なお、他の手法を用いて、電源オン状態であるＰＣ４が接続されているか否かを判断してもよい。
【００７５】
図１５に示すように、マイコン１Ａは、電源オン状態であるＰＣ４がコネクタ１Ｎに接続されているか否かを判断する（Ｓ７１）。電源オン状態であるＰＣ４がコネクタ１Ｎに接続されている場合（Ｓ７１でＹＥＳ）、処理を終了する。この場合、ＰＣ４のホストコントローラ４Ａがコネクタ１Ｎ、１Ｌａを介してＵＳＢ経由でＤＡＰ２と通信し、ＤＡＰ２に充電コマンドを送信する。従って、ＤＡＰ２を充電させることができる。
【００７６】
一方、電源オン状態であるＰＣ４がコネクタ１Ｎに接続されていない場合（Ｓ７１でＮＯ）、ＰＣ４のホストコントローラ４ＡからＤＡＰ２に充電コマンドを送信することができない。この場合、マイコン１Ａは、ＵＡＲＴ経由でＤＡＰ２と通信し、ＤＡＰ２に充電コマンドを送信する（Ｓ７２）。従って、ＰＣ４が電源オフ状態である、又は、ＰＣ４が接続されていない場合であっても、ＤＡＰ２を充電させることができる。
【００７７】
以上、本発明の好ましい実施形態を説明したが、本発明はこれらの実施形態には限定されない。クレードルと増幅装置が同一筐体内に設けられていてもよい。つまり、クレードル内蔵型の増幅装置という製品で採用されてもよい。上記オーディオデータの代わりに映像データや静止画データでもよく、これらを総称してコンテンツデータという。コンテンツデータを所定フォーマットでエンコードしたものをコンテンツファイルという。また、本発明は、上記のクレードルや増幅装置の動作をコンピュータに実行させるためのコンピュータプログラムという形態で提供することもできる。携帯型コンテンツ再生装置は、携帯電話、ポータブルカーナビ、ポータブルＴＶ、ポータブルＣＤプレーヤ、携帯ゲーム機等でもよい。
【産業上の利用可能性】
【００７８】
本発明は、携帯型コンテンツ再生装置のクレードルに好適に採用され得る。
【符号の説明】
【００７９】
１              クレードル
１Ａ            マイコン
１Ｂ            ホストコントローラ
１Ｅ            スイッチ
１Ｆ            スイッチ
１Ｉ            電源部
１Ｊ            リモコン受信部
１Ｋ            操作部
１Ｌ            コネクタ
１Ｍ            コネクタ
１Ｏ            出力端子
１Ｐ            制御信号入出力端子
２              携帯型コンテンツ再生装置
３              携帯型コンテンツ再生装置
４              ＰＣ（コンピュータ）
４Ａ            ホストコントローラ
５              増幅装置
５Ａ            マイコン
５Ｂ            セレクタ
５Ｃ            増幅部
５Ｄ            表示部（表示装置）
５Ｅ            リモコン受信部
５Ｆ            操作部
５Ｋ            メモリ
【図１】
2012043484.tif 000003
【図２】
2012043484.tif 000004
【図２Ｂ】
2012043484.tif 000005
【図３】
2012043484.tif 000006
【図４】
2012043484.tif 000007
【図５】
2012043484.tif 000008
【図６】
2012043484.tif 000009
【図７】
2012043484.tif 000010
【図８】
2012043484.tif 000011
【図９】
2012043484.tif 000012
【図１０】
2012043484.tif 000013
【図１１】
2012043484.tif 000014
【図１２】
2012043484.tif 000015
【図１３】
2012043484.tif 000016
【図１４】
2012043484.tif 000017
【図１５】
2012043484.tif 000018
【図１６】
2012043484.tif 000019
【図１７】
2012043484.tif 000020
【図１８】
2012043484.tif 000021